(57)【要約】【課題】エラー回復を可能とし、そして、記録媒体を無駄なく有効利用するディジタル信号記録再生装置及び記録方法並びにコンピュータ・ソフトウエアを提供する。【解決手段】ディジタル圧縮符号化された映像信号及び／又は音声信号を記録媒体に記録再生するディジタル信号記録再生装置１００において、第一の記録媒体１１３ａに記録する第一の記録手段と、第一の再生手段と、第一の記録媒体１１３ａに記録した信号を破棄する破棄手段と、第二の記録媒体１１３ｂに記録する第二の記録手段と、を備え、第一の記録手段及び第二の記録手段は、同一の信号を、それぞれ第一の記録媒体１１３ａ又は第二の記録媒体１１３ｂに並行して記録し、破棄手段は、並行記録終了の際に、第一の記録媒体１１３ａの記録内容を破棄する。【選択図】        図１
2004310953.tif 000002
【特許請求の範囲】
【請求項１】
ディジタル圧縮符号化された映像信号及び／又は音声信号を記録媒体に記録再生するディジタル信号記録再生装置において、
ディジタル圧縮符号化された映像信号及び／又は音声信号を第一の記録媒体に記録する第一の記録手段と、前記第一の記録媒体に記録したディジタル圧縮符号化された映像信号及び／又は音声信号を再生する第一の再生手段と、前記第一の記録媒体に記録したディジタル圧縮符号化された映像信号及び／又は音声信号を破棄する破棄手段と、ディジタル圧縮符号化された映像信号及び／又は音声信号を第二の記録媒体に記録する第二の記録手段と、を備え、前記第一の記録手段及び前記第二の記録手段は、同一のディジタル圧縮符号化された映像信号及び／又は音声信号を、それぞれ第一の記録媒体および第二の記録媒体に並行して記録し、前記破棄手段は、並行記録終了の際に、前記第一の記録媒体の記録内容を破棄することを特徴とするディジタル信号記録再生装置。
【請求項２】
請求項１記載のディジタル信号記録再生装置において、
上記第二の記録手段にて記録する信号を選択する信号選択手段を備え、上記第二の記録媒体において記録エラーが発生して、第二の記録手段が記録エラー回復処理を行い、第二の記録媒体への記録を再開する際に、上記第一の再生手段は、前記第二の記録媒体で記録エラーが発生した時点のディジタル圧縮符号化された映像信号及び／又は音声信号から再生を開始し、かつ、前記信号選択手段は、前記第一の再生手段からの再生信号を前記第二の記録手段が記録するように選択することを特徴とするディジタル信号記録再生装置。
【請求項３】
請求項２記載のディジタル信号記録再生装置において、
上記第一の記録手段は、上記第一の記録媒体への記録領域として、少なくとも上記第二の記録手段の記録エラー回復処理時間分の記録領域を確保し、確保した記録領域をリングバッファとして記録することを特徴とするディジタル信号記録再生装置。
【請求項４】
請求項２記載のディジタル信号記録再生装置において、
上記第一の再生手段は、上記第一の記録手段がディジタル圧縮符号化された映像信号及び／又は音声信号を記録するビットレートより高いビットレートで再生し、上記第二の記録手段は、上記信号選択手段により選択された前記第一の再生手段が再生するビットレートと同じビットレートで記録し、前記第一の再生手段の再生するディジタル圧縮符号化された映像信号及び／又は音声信号と、前記第二の記録手段の記録するディジタル圧縮符号化された映像信号及び／又は音声信号が一致した際に、前記信号選択手段は、前記第一の記録手段が記録するディジタル圧縮符号化された映像信号及び／又は音声信号を第二の記録手段が記録するように選択することを特徴とするディジタル信号記録再生装置。
【請求項５】
請求項１ないし４のいずれか１項に記載のディジタル信号記録再生装置において、
上記第一の記録媒体は固定ディスク媒体であることを特徴とするディジタル信号記録再生装置。
【請求項６】
請求項１ないし４のいずれか１項に記載のディジタル信号記録再生装置において、
上記第一の記録媒体は半導体メモリ媒体であることを特徴とするディジタル信号記録再生装置。
【請求項７】
請求項１ないし４のいずれか１項に記載のディジタル信号記録再生装置において、
上記第二の記録媒体は脱着可能なディスク媒体であることを特徴とするディジタル信号記録再生装置。
【請求項８】
ディジタル圧縮符号化された映像信号及び／又は音声信号を第一の記録媒体に記録する第一の記録手段と、前記第一の記録媒体に記録したディジタル圧縮符号化された映像信号及び／又は音声信号を再生する第一の再生手段と、前記第一の記録媒体に記録したディジタル圧縮符号化された映像信号及び／又は音声信号を破棄する破棄手段と、ディジタル圧縮符号化された映像信号及び／又は音声信号を第二の記録媒体に記録する第二の記録手段と、を備えるディジタル信号記録再生装置の記録再生方法において、
前記第一の記録手段及び前記第二の記録手段により、同一のディジタル圧縮符号化された映像信号及び／又は音声信号を、それぞれ第一の記録媒体および第二の記録媒体に並行して記録し、前記破棄手段により、並行記録終了の際に、前記第一の記録媒体の記録内容を破棄することを特徴とするディジタル信号記録再生方法。
【請求項９】
ディジタル圧縮符号化された映像信号及び／又は音声信号を第一の記録媒体に記録する第一の記録手段と、前記第一の記録媒体に記録したディジタル圧縮符号化された映像信号及び／又は音声信号を再生する第一の再生手段と、前記第一の記録媒体に記録したディジタル圧縮符号化された映像信号及び／又は音声信号を破棄する破棄手段と、ディジタル圧縮符号化された映像信号及び／又は音声信号を第二の記録媒体に記録する第二の記録手段と、を備えるディジタル信号記録再生装置のコンピュータ・ソフトウエアにおいて、
前記第一の記録手段及び前記第二の記録手段により、同一のディジタル圧縮符号化された映像信号及び／又は音声信号を、それぞれ第一の記録媒体および第二の記録媒体に並行して記録する機能と、前記破棄手段により、並行記録終了の際に、前記第一の記録媒体の記録内容を破棄する機能とをコンピュータに実現させるプログラムからなることを特徴とするコンピュータ・ソフトウエア。
【発明の詳細な説明】
【０００１】
【発明の属する技術分野】
本発明は、ディジタル信号記録再生装置及び記録方法並びにコンピュータ・ソフトウエアであり、ディジタル映像信号あるいは音声信号を記録し再生するディジタル信号記録再生装置に関する。
【０００２】
【従来の技術】
近年、ディジタル技術を用いた映像、音声等のデータ圧縮技術が進み、これらのデータの伝送や蓄積が容易にできるようになった。これに伴い、放送やパッケージメディアの分野においてもディジタル化が急速に進められている。そして、映像、音声信号記録再生機器としては、ディジタルＴＶ放送などのディジタル圧縮符号化された映像及び音声信号をディジタル信号のまま、あるいは、アナログ放送信号をディジタル圧縮符号化し、ハードディスクなどの記録媒体に記録できるディジタルレコーダが発表されている。さらに、前述のハードディスクと、記録型光ディスクを組み合わせたディジタルレコーダも開発されている。
【０００３】
従来のディジタルレコーダは、記録媒体として、ハードディスク、記録型光ディスクが用いられる。ここで、記録型光ディスクは、その可搬性から、書き込みエラーが発生する場合がある。記録型光ディスクへの書き込みエラーが生じると、エラー回復のための処理が行われ、回復後に記録が再開されるが、エラー回復処理が長時間にわたって行われると、その間の番組情報が記録されなくなるという問題があり、ハードディスク及び記録型光ディスクの両方で記録することも提案されている（特許文献１参照）が、記録量が増え、コストアップとなっていた。
【０００４】
【特許文献１】
特開２００１−１５５４７４号公報
【０００５】
【発明が解決しようとする課題】
【０００６】
本発明の目的は、これらの課題を解決するものであり、エラー回復を可能とし、そして、記録媒体を無駄なく有効利用するディジタル信号記録再生装置及び記録方法並びにコンピュータ・ソフトウエアを提供することである。
【０００７】
【課題を解決するための手段】
上記目的を達成するために、本発明は、ディジタル圧縮符号化された映像信号及び／又は音声信号を記録媒体に記録再生するディジタル信号記録再生装置において、ディジタル圧縮符号化された映像信号及び／又は音声信号を第一の記録媒体に記録する第一の記録手段と、前記第一の記録媒体に記録したディジタル圧縮符号化された映像信号及び／又は音声信号を再生する第一の再生手段と、前記第一の記録媒体に記録したディジタル圧縮符号化された映像信号及び／又は音声信号を破棄する破棄手段と、ディジタル圧縮符号化された映像信号及び／又は音声信号を第二の記録媒体に記録する第二の記録手段と、を備え、前記第一の記録手段及び前記第二の記録手段は、同一のディジタル圧縮符号化された映像信号及び／又は音声信号を、それぞれ第一の記録媒体又は第二の記録媒体に並行して記録し、前記破棄手段は、並行記録終了の際に、前記第一の記録媒体の記録内容を破棄するディジタル信号記録再生装置である。
【０００８】
また、本発明は、上記第二の記録手段にて記録する信号を選択する信号選択手段を備え、上記第二の記録媒体において記録エラーが発生して、第二の記録手段が記録エラー回復処理を行い、第二の記録媒体への記録を再開する際に、上記第一の再生手段は、前記第二の記録媒体で記録エラーが発生した時点のディジタル圧縮符号化された映像信号及び／又は音声信号から再生を開始し、かつ、前記信号選択手段は、前記第一の再生手段からの再生信号を前記第二の記録手段が記録するように選択するディジタル信号記録再生装置である。
【０００９】
【発明の実施の形態】
本発明の実施の形態を説明する。
本発明のディジタル信号記録再生装置及び記録方法の実施形態について、図１〜図７を用いて説明する。図１は、実施形態１のディジタルレコーダのブロック構成を示す図である。図２は、実施形態１のディジタルレコーダの記録動作時のタイミング１を示す図である。図３は、実施形態１のディジタルレコーダの記録動作時のタイミング２を示す図である。図４は、実施形態１のディジタルレコーダの再生動作時のタイミングを示す図である。図５は、実施形態１のディジタルレコーダの記録動作時のタイミング３を示す図である。図６は、実施形態２のディジタルレコーダのブロック構成を示す図である。図７は、実施形態３のディジタルレコーダのブロック構成を示す図である。
【００１０】
実施形態１を説明する。図１は、本発明によるディジタルレコーダの一実施形態を示すブロック構成図である。１００はディジタルレコーダ、１０１は映像信号入力端子、１０２は音声信号入力端子、１０３は映像信号Ａ／Ｄコンバータ、１０４は音声信号Ａ／Ｄコンバータ、１０５は映像信号切り換えスイッチ、１０６は音声信号切り換えスイッチ、１０７は映像信号圧縮回路、１０８は音声信号圧縮回路、１０９はシステムエンコーダ、１１０はバッファ制御回路、１１１ａ及び１１１ｂは記録用バッファ、１１２ａ及び１１２ｂは再生用バッファ、１１３ａは例えばハードディスクドライブなどの第１の記録媒体、１１３ｂは例えば光ディスクドライブなどの第２の記録媒体、１１４はシステムデコーダ、１１５は映像信号伸張回路、１１６は音声信号伸張回路、１１７は映像信号Ｄ／Ａコンバータ、１１８は音声信号Ｄ／Ａコンバータ、１１９は映像信号出力端子、１２０は音声信号出力端子、１２１は制御回路である。
【００１１】
まず、第１の記録媒体１１３ａへの記録、及び再生の動作について示す。映像信号入力端子１０１から入力された映像信号は、映像信号Ａ／Ｄコンバータ１０３においてディジタル信号に変換され、映像信号切り換えスイッチ１０５を介して、映像信号圧縮回路１０７に入力される。映像信号圧縮回路１０７では、例えば、映像圧縮符号化方式としてＩＳＯ／ＩＥＣ１３８１８−２（通称ＭＰＥＧ２Ｖｉｄｅｏ）ＭＰ＠ＭＬ（Ｍａｉｎ  Ｐｒｏｆｉｌｅ＠Ｍａｉｎ  Ｌｅｖｅｌ）規格に準拠した圧縮符号化データを生成する。映像圧縮符号化方式としては、これに限定するものではなく、ＪＰＥＧ規格方式などでもよい。生成した圧縮符号化映像データは、システムエンコーダ１０９に入力される。
【００１２】
また、音声信号入力端子１０２から入力された音声信号は、音声信号Ａ／Ｄコンバータ１０４において所定のサンプリングレートによりアナログ／ディジタル変換が行われる。ディジタル信号に変換された音声信号は、音声信号切り換えスイッチ１０６を介して、音声信号圧縮回路１０８に入力される。音声信号圧縮回路１０８では、例えば、音声圧縮符号化方式としてＩＳＯ／ＩＥＣ１３８１８−１（通称ＭＰＥＧ２Ａｕｄｉｏ）規格に準拠した圧縮符号化データを生成する。音声圧縮符号化方式についても特にこれ限定するものではない。生成した圧縮符号化音声データは、システムエンコーダ１０９に入力される。
【００１３】
システムエンコーダ１０９に入力された圧縮符号化映像データ及び圧縮符号化音声データは、それぞれパケット化及び多重化され、一本のシステムストリームに変換された後、バッファ制御回路１１０を介して記録用バッファ１１１ａに入力される。システムストリームには、付加情報として、元映像のサイズ、縦横比、システムストリーム中の圧縮符号化映像データ及び圧縮符号化音声データのビットレート等が追加される。
【００１４】
記録用バッファ１１１ａに蓄積されたシステムストリームは、バッファ制御回路１１０を介して第１の記録媒体１１３ａに記録される。第１の記録媒体１１３ａは例えばハードディスクで構成される。なお、固定ディスク媒体、半導体メモリ媒体等も使用可能である。
【００１５】
一方、第１の記録媒体１１３ａから再生されるシステムストリームは、バッファ制御回路１１０を介して再生用バッファ１１２ａに格納される。さらに、バッファ制御回路１１０を介してシステムデコーダ１１４に入力される。
【００１６】
記録用バッファ１１１ａ、及び再生用バッファ１１２ａは、例えば半導体メモリで構成され、それぞれ別個の半導体チップで構成してもよいし、同一の半導体チップ上で、その記憶領域を分けて実現してもよい。
【００１７】
システムデコーダ１１４に入力されたシステムストリームは、圧縮符号化映像データ、及び圧縮符号化音声データのパケットにそれぞれ分離され、各々のパケットから取り出した圧縮符号化映像データは映像信号伸張回路１１５に、また圧縮符号化音声データは音声信号伸張回路１１６に入力される。伸張が施された映像信号は映像信号Ｄ／Ａコンバータ１１７に、音声信号は音声信号Ｄ／Ａコンバータ１１８に入力され、アナログ信号に変換され、映像信号出力端子１１９、音声信号出力端子１２０から出力される。
【００１８】
次に第２の記録媒体１１３ｂに記録する場合について示す。第２の記録媒体１１３ｂとしては、例えば光ディスクを用いた脱着可能な記録媒体を用いる。記録媒体１１３ｂへの記録は、前述のように、入力された映像信号、音声信号を直接記録媒体１１３ｂに記録する場合や、記録媒体１１３ａに記録されているシステムストリームをダビングする場合等があげられる。
【００１９】
ダビングの方法として、一つの例は、第１の記録媒体１１３ａから再生したシステムストリームがバッファ制御回路１１０を介して再生用バッファ１１２ａに格納され、そのシステムストリームがバッファ制御回路１１０を介して、記録用バッファ１１１ｂに格納された後、バッファ制御回路１１０を介して第２の記録媒体１１３ｂに記録される方法があげられる。また、別の方法として、第１の記録媒体１１３ａから再生されたシステムストリームを再生用バッファ１１２ａからシステムデコーダ１１４に、バッファ制御回路１１０により供給し、映像信号及び音声信号を伸張した後、映像信号切り換えスイッチ１０５、音声信号切り換えスイッチ１０６により再度映像信号圧縮回路１０７、音声信号圧縮回路１０８にて圧縮符号化し、システムエンコーダ１０９にて得られたシステムストリームをバッファ制御回路１１０により記録用バッファ１１１ｂに格納、及び第２の記録媒体１１３ｂに記録する方法もある。この場合、映像信号圧縮回路１０７、音声信号圧縮回路１０８にて、第１の記録媒体１１３ａから再生したシステムストリームのビットレートより低いビットレートで圧縮符号化することにより、映像信号、音声信号の品質は劣化するが、第２の記録媒体１１３ｂの記録領域を有効に確保できる。
【００２０】
ここで、本実施形態による入力された映像信号、音声信号を直接第２の記録媒体１１３ｂに記録する場合については、システムエンコーダ１０９からのシステムストリームが、バッファ制御回路１１０を介して記録バッファ１１１ｂに格納されるとともに、記録用バッファ１１１ａにも格納される。記録用バッファ１１１ｂに蓄積されたシステムストリームは、バッファ制御回路１１０を介して第２の記録媒体１１３ｂに記録される。また、並行して、記録用バッファ１１１ａに蓄積されたシステムストリームは、バッファ制御回路１１０を介して第１の記録媒体１１３ａに記録される。
【００２１】
以上のように、第２の記録媒体１１３ｂに記録する際には、並行して第１の記録媒体１１３ａにも記録を行う。第２の記録媒体１１３ｂへの記録が終了すると、制御回路１２１により、第１の記録媒体１１３ａに並行して記録されたシステムストリームを破棄する。破棄する方法としては、システムストリーム自体を別のデータで上書きして消去する方法、システムストリームのファイル管理情報を消去する方法などで実現できる。
【００２２】
一方、第２の記録媒体１１３ｂから再生されるシステムストリームは、バッファ制御回路１１０を介して再生用バッファ１１２ｂに格納される。さらに、バッファ制御回路１１０を介してシステムデコーダ１１４に入力される。
【００２３】
第２の記録用バッファ１１１ｂ、及び再生用バッファ１１２ｂは、例えば半導体メモリで構成され、それぞれ別個の集積回路で構成してもよいし、同一の集積回路上で、その記憶領域を分けて実現してもよい。さらに、記録用バッファ１１１ａ、再生用バッファ１１２ａとともに同一の集積回路で、その記憶領域を分けて実現してもよい。
【００２４】
システムデコーダ１１４に入力されたシステムストリームは、圧縮符号化映像データ、及び圧縮符号化音声データのパケットにそれぞれ分離され、各々のパケットから取り出した圧縮符号化映像データは映像信号伸張回路１１５に、また圧縮符号化音声データは音声信号伸張回路１１６に入力される。伸張が施された映像信号は映像信号Ｄ／Ａコンバータ１１７に、音声信号は音声信号Ｄ／Ａコンバータ１１８に入力され、アナログ信号に変換され、映像信号出力端子１１９、音声信号出力端子１２０から出力される。
【００２５】
図２及び図３は、図１における記録動作のタイミングを示す図である。図２（ａ）は、第１の記録用バッファ１１１ａに蓄積されたシステムストリームの蓄積量を示し、図２（ｂ）は、蓄積されたシステムストリームがバッファ制御回路１１０を介して第１の記録媒体１１３ａに記録されるタイミングを示す。
【００２６】
システムエンコーダ１０９からバッファ制御回路１１０に入力されるシステムストリームが記録用バッファ１１１ａに蓄積され、記録蓄積容量しきい値ｍに到達すると、バッファ制御回路１１０は一定量の記録単位で第１の記録媒体１１３ａに記録を行わせる。その結果、システムストリームの蓄積量は減少するが、システムエンコーダ１０９からは引き続きシステムストリームが入力される。記録蓄積容量しきい値ｍに再び到達すると、再度、バッファ制御回路１１０が一定量の記録単位で記録媒体１１３ａに記録を行う。これを繰り返すことで、システムストリームの記録媒体１１３ａへの記録が行われる。このように、システムストリームの記録媒体１１３ａへの記録動作は間欠的に行われる。
【００２７】
また、図３（ａ）は、第２の記録用バッファ１１１ｂに蓄積されたシステムストリームの蓄積量を示し、図３（ｂ）は、蓄積されたシステムストリームがバッファ制御回路１１０を介して記録媒体１１３ｂに記録されるタイミングを示す。第１の記録媒体１１３ａへの記録動作と同様に、第２の記録媒体１１３ｂへ間欠的に記録が行われる。
【００２８】
一方、図４は、図１における再生動作のタイミングを示す図である。図４（ａ）は、再生用バッファ１１２ａに蓄積されたシステムストリームの蓄積量を示し、図４（ｂ）は、バッファ制御回路１１０を介して第１の記録媒体１１３ａからシステムストリームを再生するタイミングを示す。
【００２９】
第１の記録媒体１１３ａから再生されるシステムストリームは、バッファ制御回路１１０を介して再生用バッファ１１２ａに蓄積され、さらにバッファ制御回路１１０を介してシステムデコーダ１１４に入力される。再生用バッファ１１２ａに蓄積されるシステムストリームの残量が、再生蓄積容量しきい値ｎを下回ると、バッファ制御回路１１０は一定量の再生単位で記録媒体１１３ａから再生を行わせる。その結果、システムストリームの再生バッファ１１２内の蓄積量が増加する。バッファ制御回路１１０は、システムデコーダ１１４へ引き続きシステムストリームを継続して供給する。再生用バッファ１１２ａ内の蓄積量が、再生蓄積容量しきい値ｎを再び下回ると、再度、バッファ制御回路１１０が一定量の再生単位で第１の記録媒体１１３ａからシステムストリームの再生行う。これを繰り返すことで、システムストリームの記録媒体１１３ａからの再生が行われる。このように、システムストリームの記録媒体１１３ａからの再生動作も間欠的に行われる。
【００３０】
ここで、第２の記録媒体１１３ｂへの記録中に記録エラーが生じた場合の動作について記す。記録エラーとしては、光ディスクの不良、あるいはディジタルレコーダ１００に外部から衝撃が加わることなどにより、記録媒体に所望のアドレスが見つからない等で記録が継続してできなくなってしまう場合である。この場合、記録媒体１１３ｂは、所望のアドレスを見つけるために、エラー回復処理に入る。エラー回復処理としては、例えば所望のアドレスへの探索を繰り返し行い、見つかった場合は、通常と同様に継続して記録動作を行うことが可能である。この間の信号は、バッファに蓄積される。規定回数の探索を行った結果見つからなかった場合は、最終的にはエラーとして記録できなかった該当するアドレスを制御回路１２１に結果として返す。これらの動作は通常の記録動作より動作所要時間が長くなる。エラー時の動作所要時間は数〜数１０秒であるが、バッファの容量は高画質時、１６ＭＢで３〜４秒であり、バッファに蓄積されない信号の回復は不可能である。
【００３１】
図５は、図１における第２の記録媒体１１３ｂへの記録中に記録エラーが生じた場合のタイミングを示す図である。図５（ａ）は第１の記録媒体１１３ａの動作タイミングを示し、図５（ｂ）は第２の記録媒体１１３ｂの動作タイミングを示す。同図中、記録ａ１、記録ｂ１，記録ａ２、記録ｂ２のように、第１の記録媒体１１３ａと第２の記録媒体１１３ｂで並行して間欠的に記録動作が行われるが、例えば、記録ｂ３の処理中に第２の記録媒体１１３ｂで記録エラーが発生した場合、第２の記録媒体１１３ｂでは、前述のようにエラー回復処理が実行される。一方、第１の記録媒体１１３ａへの記録は、記録ａ４、記録ａ５と継続して行われる。第２の記録媒体１１３ｂでのエラー回復処理が終了すると、制御回路１２１により、第２の記録媒体１１３ｂでエラーが発生した時点の、第１の記録媒体１１３ａで記録した情報である記録ａ３を、第１の記録媒体１１３ａから再生ａ３、再生ａ４のように記録処理の合間に再生処理させる。第２の記録媒体１１３ｂでは、第１の記録媒体１１３ａで再生された情報を、記録ｂ３、記録ｂ４のように継続して記録処理する。さらに、記録ｂ５、記録ｂ６、記録ｂ７と記録処理が行われ、記録ｂ８の記録処理が完了すると、第１の記録媒体１１３ａの記録処理に追いつき、制御回路１２１は、第１の記録媒体１１３ａからの再生処理を停止し、再び、記録ａ９、記録ｂ９，記録ａ１０、記録ｂ１０のように、第１の記録媒体１１３ａと第２の記録媒体１１３ｂで並行して間欠的に記録動作が行われる。
【００３２】
以上のように、二つの記録媒体で並行して記録処理を行い、第２の記録媒体１１３ｂで記録エラーが生じると、第１の記録媒体１１３ａから再生した情報を継続して記録するので、第２の記録媒体１１３ｂへの信頼性の高い記録処理を行うことができる。
【００３３】
さらに、第１の記録媒体１１３ａに並行して記録する際の記録領域の確保は、第２の記録媒体１１３ｂの記録エラー回復処理のための所要時間分の記録領域を確保しておき、その記録領域をリングバッファとして記録する。これにより、第１の記録媒体１１３ａの記録領域を無駄なく有効利用可能になる。
【００３４】
実施形態１では、入力端子１０１、１０２にアナログ映像、音声信号を入力した場合を示したが、本発明はこれに限定するものではなく、ディジタル信号を入力するディジタルレコーダの場合にも適用可能である。
【００３５】
また、入力するディジタル信号が圧縮符号化されている場合には、圧縮回路１０７、１０８を介さず、圧縮符号化されたディジタル信号をそのまま記録媒体１１３ａ、１１３ｂに記録すればよい。さらに、第１の記録媒体１１３ａあるいは第２の記録媒体１１３ｂに記録する場合、システムストリームを暗号化して記録し、コンテンツの著作権の保護を施すこともできる。
【００３６】
実施形態２を説明する。図６は、本発明によるディジタルレコーダの他の実施形態を示すブロック構成図である。１３１はディジタルインタフェース、１３２はディジタルインタフェース制御回路、１３３はディジタル信号切り換えスイッチ、１２２１及び１２３１は暗号回路、１２２２及び１２３２は復号回路である。
【００３７】
実施形態２では、ディジタル信号入力端子１３１からは、あらかじめシステムストリーム化されたディジタル信号が入力され、ディジタルインタフェース制御回路１３２においてプロトコル処理がなされた後、ディジタル信号切り換えスイッチ１３３に入力される。ディジタル信号切り換えスイッチ１３３では、ディジタルインタフェース制御回路１３２からのシステムストリームか、システムエンコーダ１０９からのシステムストリームかを選択して切り換えて、選択されたシステムストリームがバッファ制御回路１１０に入力される。バッファ制御回路１１０を介して記録用バッファ１１１ａに格納されたシステムストリームは、暗号回路１２２１により暗号化され、再度記録用バッファ１１１ａに格納され、第１の記録媒体１１３ａに記録される。また、第１の記録媒体１１３ａから再生されたシステムストリームは、再生用バッファ１１２ａに格納され、復号回路１２２２にて暗号が復号化され、システムデコーダに供給される。第２の記録媒体１１３ｂについても同様に、記録再生されるシステムストリームが、暗号回路１２３１にて暗号化され、復号回路１２３２にて暗号が復号化される。前述のように、第２の記録媒体１１３ｂにシステムストリームを記録する場合、記録するシステムストリームを記録用バッファ１１１ｂに格納し、暗号回路１２３１による暗号化を行い記録用バッファ１１１ｂに格納して、バッファ制御回路１１０を介して記録媒体１１３ｂに記録するとともに、並行して、記録するシステムストリームを記録用バッファ１１１ａに格納し、暗号回路１２２１による暗号化を行い記録用バッファ１１１ａに格納して、バッファ制御回路１１０を介して第１の記録媒体１１３ａに記録する。
【００３８】
実施形態３を説明する。図７は、本発明によるディジタルレコーダのさらに他の実施形態を示すブロック構成図である。１４１はディジタル放送信号入力端子、１４２はディジタルチューナである。実施形態３では、ディジタル放送信号入力端子１４１からは、衛星、ケーブル等から放送されたディジタル放送信号が入力され、ディジタルチューナ１４２において復調、選局処理がなされシステムストリームとして、ディジタル信号切り換えスイッチ１３３を介して、第１の記録媒体１１３ａ及び第２の記憶媒体１１３ｂに記録される。チューナ１４２からのシステムストリームを第２の記録媒体１１３ｂに記録する際には、前述同様、第１の記録媒体１１３ａにも並行して記録される。
【００３９】
以上で示した各実施形態では、映像信号と音声信号の双方を記録再生するディジタルレコーダについて説明したが、これに限定するものではなく、映像信号のみ、あるいは音声信号のみを記録再生するディジタルレコーダにも適用できる。
【００４０】
以上記述したように、本発明によれば、番組の録画を二つの記録媒体で並行して行い、番組の録画中に記録型光ディスクへの書き込みエラーが生じると、ハードディスクから再生した番組を継続して記録するので、記録時の信頼性の高いディジタル記録再生装置を提供することが可能になる。
【００４１】
なお、上記実施形態でディジタル記録再生装置を説明したが、ディジタル圧縮符号化された映像信号及び／又は音声信号を第一の記録媒体に記録する第一の記録手段と、前記第一の記録媒体に記録したディジタル圧縮符号化された映像信号及び／又は音声信号を再生する第一の再生手段と、前記第一の記録媒体に記録したディジタル圧縮符号化された映像信号及び／又は音声信号を破棄する破棄手段と、ディジタル圧縮符号化された映像信号及び／又は音声信号を第二の記録媒体に記録する第二の記録手段と、を備え、前記第一の記録手段及び前記第二の記録手段により、同一のディジタル圧縮符号化された映像信号及び／又は音声信号を、それぞれ第一の記録媒体又は第二の記録媒体に並行して記録する機能と、前記破棄手段により、並行記録終了の際に、前記第一の記録媒体の記録内容を破棄する機能とをコンピュータに実現させるプログラムからなるコンピュータ・ソフトウエアを使用することにより、従来のディジタル信号記録再生装置を本発明のディジタル信号記録再生装置とすることができる。
【００４２】
【発明の効果】
本発明によれば、エラー回復を可能とし、そして、記録媒体を無駄なく有効利用するディジタル信号記録再生装置及び記録方法を得ることができる。
【図面の簡単な説明】
【図１】実施形態１のディジタルレコーダのブロック構成を示す図。
【図２】実施形態１のディジタルレコーダの記録動作時のタイミング１を示す図。
【図３】実施形態１のディジタルレコーダの記録動作時のタイミング２を示す図。
【図４】実施形態１のディジタルレコーダの再生動作時のタイミングを示す図。
【図５】実施形態１のディジタルレコーダの記録動作時のタイミング３を示す図。
【図６】実施形態２のディジタルレコーダのブロック構成を示す図。
【図７】実施形態３のディジタルレコーダのブロック構成を示す図。
【符号の説明】
１  ディジタルレコーダ
１０３  映像信号Ａ／Ｄコンバータ
１０４  音声信号Ａ／Ｄコンバータ
１０５  映像信号切り換えスイッチ
１０６  音声信号切り換えスイッチ
１０７  映像信号圧縮回路
１０８  音声信号圧縮回路
１０９  システムエンコーダ
１１０  バッファ制御回路
１１１ａ  記録用バッファ
１１１ｂ  記録用バッファ
１１２ａ  再生用バッファ
１１２ｂ  再生用バッファ
１１３ａ  記録媒体
１１３ｂ  記録媒体
１１４  システムデコーダ
１１５  映像信号伸張回路
１１６  音声信号伸張回路
１１７  映像信号Ｄ／Ａコンバータ
１１８  音声信号Ｄ／Ａコンバータ
１２１  制御回路
１２２１  暗号回路
１２２２  復号回路
１２３１  暗号回路
１２３２  復号回路
１３１  ディジタル信号入力端子
１３２  ディジタルインタフェース制御回路
１３３  ディジタル信号切り換えスイッチ
１４１  ディジタル放送信号入力端子
１４２  ディジタルチューナ
【図１】
2004310953.tif 000003
【図２】
2004310953.tif 000004
【図３】
2004310953.tif 000005
【図４】
2004310953.tif 000006
【図５】
2004310953.tif 000007
【図６】
2004310953.tif 000008
【図７】
2004310953.tif 000009